(57)【要約】      （修正有）【課題】側溝内排水路でゴミが滞留し難く、透水性舗装からの排水を受け入れ可能な暗渠型側溝を提供する。【解決手段】全体が略直方体形状に成型された暗渠型側溝１であって、長手方向に貫通し且つ底面がＲ形状の排水路２が成形され、天面の所定箇所には排水路まで鉛直方向に貫通する複数の天面排水孔４が所定間隔を空けて備えられ、一方の側面上方所定箇所には排水路まで斜めに貫通する複数の側面排水孔５が所定間隔を空けて備えられている手段を採用する。【選択図】図１
0003232449.tif 000002
【実用新案登録請求の範囲】
【請求項１】
全体が略直方体形状に成型された暗渠型の側溝であって、
長手方向に貫通し且つ底面がＲ形状の排水路が成形され、天面の所定箇所には排水路まで鉛直方向に貫通する複数の天面排水孔が所定間隔を空けて備えられ、一方の側面上方所定箇所には排水路まで斜めに貫通する複数の側面排水孔が所定間隔を空けて備えられていることを特徴とする暗渠型側溝。
【請求項２】
前記暗渠型側溝における側面上部に、前記側面排水孔を経由して長手方向に貫通する略水平状のスリット溝が成形されていることを特徴とする請求項１に記載の暗渠型側溝。
【請求項３】
前記暗渠型側溝における天面表層に、滑り止め加工が施されていることを特徴とする請求項１又は請求項２に記載の暗渠型側溝。
【請求項４】
前記暗渠型側溝における両側面の下方域に、軽量化のための切欠部が成形されていることを特徴とする請求項１乃至３のいずれかに記載の暗渠型側溝。
【請求項５】
前記暗渠型側溝における両側面の両端部所定箇所に、該暗渠型側溝同士を連結するためのジョイント部材を係合可能な係合溝が成形されていることを特徴とする請求項１乃至４のいずれかに記載の暗渠型側溝。
【考案の詳細な説明】
【技術分野】
【０００１】
本考案は、雨水等の排水機能を有する暗渠型の側溝に関するものである。
【背景技術】
【０００２】
近年、大型台風やゲリラ豪雨などが毎年のように発生し、それに起因して道路の冠水や浸水なども各地域で頻発するようになっており、その影響は非常に大きく、被害も甚大になってきている。
【０００３】
かかる事態への対処として、河川等の水路や各種道路、各地域の側溝等の排水機能向上が急がれているが、大量の雨水と共に流れる多数のゴミにより側溝の入水孔や排水路自体が閉塞され、処理できない雨水が溢れ出す等の問題を発生させている。
【０００４】
上記問題を解決すべく、特許第４９９６３６８号公報（特許文献１）では、側溝の上にも小規模の上部流路を作りつつ、雨水と共に流入したゴミが側溝内に流入しないよう、上部流路から側溝内排水路への入水孔を所定高さ位置に設けた構造から成る排水路の技術提案がなされている。
【０００５】
しかしながら、上記特許文献１の技術提案では、上部流路に流入し水面に浮遊し得る落ち葉等の軽いゴミが、入水孔を閉塞するおそれがあり、その結果、側溝内排水路への入水が阻害されてしまうといった問題があった。また、側溝側面が完全にコンクリートで覆われているため、透水性舗装がなされた道路からの排水に対応できない構造となっていた。
【０００６】
本出願人は、以上のような従来の側溝における機能性の問題に着目し、仮に側溝内排水路内へゴミが流入しても滞留することなく、しかも透水性舗装にも対応可能な側溝を提供できないものかとの着想のもと、側溝内排水路の形状によってゴミが滞留し難く、且つ、透水性舗装の排水を受け入れ可能な側溝を開発し、本考案に係る「暗渠型側溝」の提案に至るものである。
【先行技術文献】
【特許文献】
【０００７】
【特許文献１】特許第４９９６３６８号公報
【考案の概要】
【考案が解決しようとする課題】
【０００８】
本考案は、上記問題点に鑑み、側溝内排水路でゴミが滞留し難く、透水性舗装からの排水を受け入れ可能な暗渠型側溝を提供することを課題とする。
【課題を解決するための手段】
【０００９】
上記課題を解決するため、本考案は、全体が略直方体形状に成型された暗渠型の側溝であって、長手方向に貫通し且つ底面がＲ形状の排水路が成形され、天面の所定箇所には排水路まで鉛直方向に貫通する複数の天面排水孔が所定間隔を空けて備えられ、一方の側面上方所定箇所には排水路まで斜めに貫通する複数の側面排水孔が所定間隔を空けて備えられている手段を採る。
【００１０】
また、本考案は、暗渠型側溝における側面上部に、側面排水孔を経由して長手方向に貫通する略水平状のスリット溝が成形されている手段を採る。
【００１１】
さらに、本考案は、暗渠型側溝における天面表層に、滑り止め加工が施されている手段を採る。
【００１２】
またさらに、本考案は、暗渠型側溝における両側面の下方域に、軽量化のための切欠部が成形されている手段を採る。
【００１３】
さらにまた、本考案は、暗渠型側溝の両側面における両端部所定箇所に、該暗渠型側溝同士を連結するためのジョイント部材を係合可能な係合溝が成形されている手段を採る。
【考案の効果】
【００１４】
本考案に係る暗渠型側溝によれば、排水路の底面がＲ形状に成形されることで、側溝内に流入したゴミが排水路に滞留することなく、雨水等により流されて排出し得ると共に、側溝の天面及び側面に天面排水孔及び側面排水孔が夫々複数備えられているため、地上を流れる排水について天面排水孔を介して排水路内に導入し得ると共に、透水性舗装により舗装路内に浸入した排水についても側面排水孔を介して排水路内に導入でき、効率的な排水処理を可能にする。
【００１５】
また、本考案に係る暗渠型側溝によれば、側面排水孔を経由した長手方向に貫通する略水平状のスリット溝が成形されることで、大量の雨水等の流入に対し、各側面排水孔が分散して排水路内に入水可能であると共に、仮に一の側面排水孔が機能不全に陥った場合であっても、スリット溝を経由して他の側面排水孔へ流れ着いて確実に排水路内への入水処理ができるため、処理能力並びに機能性の向上に資する。
【００１６】
さらに、本考案に係る暗渠型側溝によれば、天面表層に滑り止め加工が施されることで、歩行者や自転車などが暗渠型側溝の天面箇所を安全に通行することが可能である。
【００１７】
またさらに、本考案に係る暗渠型側溝によれば、両側面の下方域に、軽量化のための切欠部が形成されることで、完成品の軽量化が図れ、運搬性の向上に資すると共に、設置作業の負担軽減に資する。
【００１８】
さらにまた、本考案に係る暗渠型側溝によれば、両側面の両端部所定箇所に、ジョイント部材を係合可能な係合溝が備えられることで、側溝同士の接続が容易となり、設置作業の負担軽減並びに施工性の向上に優れた効果を奏する。
【図面の簡単な説明】
【００１９】
【図１】本考案に係る暗渠型側溝の実施形態を示す全体斜視図である。
【図２】本考案に係る暗渠型側溝の実施形態を示す平面図である。
【図３】本考案に係る暗渠型側溝の実施形態を示す側面図である。
【図４】本考案に係る暗渠型側溝の実施形態を示す端面図である。
【図５】本考案に係る暗渠型側溝の実施形態を示す断面図である。
【図６】本考案に係る暗渠型側溝の実施態様を示す説明図である。
【考案を実施するための形態】
【００２０】
本考案に係る暗渠型側溝１は、全体が略直方体形状に成型され、長手方向に貫通し且つ底面がＲ形状の排水路２が成形され、天面の所定箇所には排水路２まで鉛直方向に貫通する複数の天面排水孔４が所定間隔を空けて備えられ、一方の側面上方所定箇所には排水路２まで斜めに貫通する複数の側面排水孔５が所定間隔を空けて備えられていることを最大の特徴とする。
以下、本考案に係る暗渠型側溝１の実施形態を、図面に基づいて説明する。
【００２１】
尚、本考案に係る暗渠型側溝１は、以下に述べる実施形態に限定されるものではなく、本考案の技術的思想の範囲内、すなわち同一の作用効果を発揮できる形状や寸法、材質等の範囲内で適宜変更することができるものである。
【００２２】
図１は、本考案に係る暗渠型側溝１の実施形態を示す全体斜視図である。図２は、本考案に係る暗渠型側溝１の実施形態を示す平面図である。図３は、本考案に係る暗渠型側溝１の実施形態を示す側面図である。図４は、本考案に係る暗渠型側溝１の実施形態を示す端面図であり、（ａ）が一端面、（ｂ）が他端面を示している。図５は、本考案に係る暗渠型側溝１の実施形態を示す断面図であり、（ａ）が図２におけるＡＡ断面図、（ｂ）が図２におけるＢＢ断面図である。図６は、本考案に係る暗渠型側溝１の実施態様を示す説明図であり、連結状態を示している。
【００２３】
本考案に係る暗渠型側溝１は、全体がコンクリートにより略直方体形状に成型されており、透水性舗装が施された道路に適応した暗渠型の側溝である。全体の長さ・幅・高さについては、特に限定するものではないが、例えば長さ１０００〜２０００ｍｍ、幅３５０〜７８０ｍｍ、高さ４００〜１０００に成型され、各暗渠型側溝１を縦列に複数接続し、雨水等の排水機能を有する側溝として機能するものである。
【００２４】
該暗渠型側溝１には、両端面１ａ・１ｂを長手方向に貫通するように、排水路２が成形されている。該排水路２の底面は、Ｒ形状に成形されており、雨水等と併せて流入したゴミが滞留し難い構造となっている。かかるＲ形状を成す屈曲半径について、特に限定するものではなく、排水路２における最大排水量やゴミの排出効率等を考慮して、適宜決定される。また、ここでいうＲ形状とは、単に曲線状だけでなく、同様の作用効果、すなわち、ゴミの滞留を阻害するという作用効果を奏し得る形状、具体的には、略Ｖ字状や多角形状なども含む概念である。
【００２５】
暗渠型側溝１の天面には、排水路２まで鉛直方向に貫通する複数の天面排水孔４が備えられている。一の暗渠型側溝１における天面排水孔４の数については、仮に１箇所しか備えていない場合、排水路２への雨水等の流入経路が一点に集中することとなるため、入水効率の悪化、ゴミ詰まりによる代替流入経路の不存在が想定され、また、天面排水孔４を多く設け過ぎると、天面の強度不足が生じ、補強構造の必須化が想定されるため、概ね２乃至４箇所程度の天面排水孔４を備える態様が好適である。かかる天面排水孔４の形状については、特に限定するものではないが、小さ過ぎると入水能力に難があり、大き過ぎると天面の強度不足が生じかねないことから、例えば平面視において縦約１５０ｍｍ、幅約２０ｍｍ程度の略矩形状とする態様が好適である。天面排水孔４を備える位置は、排水路２へ鉛直方向に貫通し得る箇所であれば特に限定はないが、例えば図示のように、幅方向略中央位置にて、所定間隔（例えば均等間隔）を空けて縦列して備えられる。
【００２６】
暗渠型側溝１における天面表層には、図示のように、天面排水孔４へ向け下り傾斜の勾配が幅方向に設けられている。かかる態様を採用することで、天面表層を流れる雨水等が外部へ流出することなく、確実に天面排水孔４へ導かれる態様となっている。
また、暗渠型側溝１における天面表層には、滑り止め加工１０が施されている。かかる滑り止め加工１０を施すことで、歩行者や自転車などが当該箇所を通行する際のスリップによる転倒の危険を防除して安全性の向上に資することとなる。該滑り止め加工の具体的手段については、特に限定するものではなく、例えば図示のように、凹凸形状を施す態様のほか、微粒骨材により表層処理する態様、滑り止め塗料を塗布する態様など、種々の手段を採用し得る。
【００２７】
暗渠型側溝１における一方の側面上方箇所には、排水路２まで斜めに貫通する複数の側面排水孔５が備えられている。一の暗渠型側溝１における側面排水孔５の数については、上記天面排水孔４と同様、仮に１箇所しか備えていない場合、排水路２への雨水等の流入経路が一点に集中することとなるため、入水効率の悪化、ゴミ詰まりによる代替流入経路の不存在が想定され、また、側面排水孔５を多く設け過ぎると、側面上方箇所の強度不足が生じ、補強構造の必須化が想定されるため、概ね２乃至４箇所程度の側面排水孔５を備える態様が好適である。か  かる側面排水孔５の形状については、特に限定するものではないが、小さ過ぎると入水能力に難があり、大き過ぎると側面上方箇所の強度不足が生じかねないことから、例えば縦横各２０〜３０ｍｍ程度の略矩形状とする態様が好適である。側面排水孔５を備える位置は、側面における上方箇所であって、該側面から排水路２の上方位置へ下り傾斜状に貫通し得る箇所であれば、特に限定するものではないが、透水性舗装内に浸入した雨水等を流入させるという機能上、天面から約１０〜１６ｍｍ程度下方位置に備わる態様が好適である。また、一の暗渠型側溝１に備わる複数の側面排水孔５は、その全ての高さ位置が略同一となるように備えられる。そして、各側面排水孔５は、例えば図示のように、所定間隔（例えば均等間隔）を空けて縦列して備えられる。
【００２８】
暗渠型側溝１における側面上部には、スリット溝７が成形されている。該スリット溝７は、側面に備えられた側面排水孔５を経由しつつ長手方向に貫通して成形されるもので、換言すれば、側面排水孔５が成形されていない側面には、スリット溝７も成形されないこととなる。該スリット溝７は、同じ高さ位置に存する全ての側面排水孔５を経由することで、略水平状に成形される。かかるスリット溝７が成形されることで、透水性舗装から流入する雨水等を側面排水孔５へ確実に誘導することが可能であり、すなわち、透水性舗装内に浸入した雨水等の流入に際し、一旦スリット溝７を経由した後、付近若しくは下流側の側面排水孔５から排水路２へ流入することとなる。該スリット溝７のスリット幅については、特に限定するものではないが、例えば５〜１０ｍｍ程度とする。
【００２９】
暗渠型側溝１における両側面の下方域には、切欠部８が成形されている。該切欠部８は、暗渠型側溝１の軽量化のために成形されるもので、コンクリートにより成型されることで重量化した暗渠型側溝１について、強度的に問題のない範囲で部分的に切り欠くことで、少しでも軽量化を実現するために成されるものである。また、切り欠いた分のコンクリート原料の節約にもなり、その結果、コストダウンを図ることもできる。
【００３０】
切欠部８の形状については、特に限定するものではなく、例えば図示のように側面の所定高さ箇所から底面所定箇所まで内側斜め下方へ直線的に切除する態様や、排水路２の底面形状（Ｒ形状）に沿うように曲線的に切除する態様が考え得る。
切欠部８を設ける位置は、暗渠型側溝１における両側面の下方域であり、具体的には、暗渠型側溝１の高さに対し少なくとも１／２より下方に存する領域である。これは、排水路２の底面がＲ形状に成形されていることから、側面下方域を多少切り欠いても、排水路２までの厚みが充分に確保されており、特段強度的な問題が生じ難いためである。また、下方域において、両端面１ａ・１ｂを含め長手方向に貫通するように切り欠く形態や、両端面１ａ・１ｂを残すなど下方域の一部分のみを切り欠く態様も考え得る。
尚、切欠部８を設けることで強度的に不安な場合には、一側面につき切欠部８を長手方向間で複数に分割するなど、部分的に補強構造として残存させつつ成形する態様も可能である。
【００３１】
暗渠型側溝１における両側面の両端部には、係合溝９が成形されている。該係合溝９は、暗渠型側溝１を連結するためのジョイント部材を係合する部分で、暗渠型側溝１同士を連結した際の連結面近傍にて各々対向して備わる係合溝９同士に、ジョイント部材を架設して互いを緊結するものである。かかる係合溝９が備わることで、暗渠型側溝１同士の接続作業が容易となって設置作業の負担軽減に資すると共に、連結面の接続不良に起因する漏水や異物侵入を防いで確実且つスムーズな流路形成に資し、さらには、地震などの天災時における連結箇所のズレを抑制する効果も期待できる。係合溝９におけるジョイント部材の係合手段については、特に限定するものではなく、ボルト・ナットによる螺合などが考え得る。
【００３２】
以上の通り構成される本考案に係る暗渠型側溝１の設置態様については、常法の側溝設備における設置態様に従い、掘削された設置場所に暗渠型側溝１を埋設すれば足りる。すなわち、設置場所を掘削し、必要に応じてその掘削箇所に砕石により敷石を行った後、該掘削箇所内に必要な基数だけ暗渠型側溝１を並べ、その状態で暗渠型側溝１同士をジョイント部材で繋ぎ合わせ、最後に暗渠型側溝１の周囲を埋め戻す態様となる。
尚、暗渠型側溝１の設置に際し、側面排水孔５が備えられている側面が透水性舗装の施された路面側を向いて設置される。そして、暗渠型側溝１の周囲を埋め戻す際、側面排水孔５より下方域が不透水層、側面排水孔５より上方域が透水層となるよう、路面の透水性舗装が施されることとなる。
【００３３】
以上の通り、本考案に係る暗渠型側溝１によれば、地上を流れる排水については天面排水孔４を介して排水路２内に導入され、透水性舗装により舗装路内に浸入した排水については側面排水孔５を介して排水路２内に導入される。その際、天面排水孔４や側面排水孔５を介して排水路２内に流入したゴミは、該排水路２の底面がＲ形状となっているため、排水路２に滞留することなく、流入した雨水等の排水と共に流されて排出されることとなる。また、暗渠型側溝１の側面には側面排水孔５を経由するスリット溝７が成形されているため、排水の大量発生時や側面排水孔５の目詰まり時におけるスリット溝７を介しての排水分散処理が可能となる。そして、暗渠型側溝１の両側面下方域に切欠部が形成されているため、製品の軽量化による運搬性並びに施工性の向上に資することとなる。
【産業上の利用可能性】
【００３４】
本考案に係る暗渠型側溝は、排水の大量発生時における分散処理能力に優れ、しかも、施工性や運搬性、そして安全性にも優れた効果を奏するもので、あらゆる側溝の施工・設置の場面で本考案を利用し得るものである。したがって、本考案に係る「暗渠型側溝」の利用可能は大であると思料する。
【符号の説明】
【００３５】
１    暗渠型側溝
１ａ  端面（一端面）
１ｂ  端面（他端面）
２    排水路
４    天面排水孔
５    側面排水孔
７    スリット溝
８    切欠部
９    係合溝
１０    滑り止め加工
【図１】
0003232449.tif 000003
【図２】
0003232449.tif 000004
【図３】
0003232449.tif 000005
【図４】
0003232449.tif 000006
【図５】
0003232449.tif 000007
【図６】
0003232449.tif 000008